(57)【要約】【課題】保守作業の効率化を図る。【解決手段】突起５４を係合溝４４に係合すると、レールブラケット２２に対して駆動部２０の抜落が阻止された状態が形成される。当接部４００８に駆動部２０の端壁４６Ｃを押し当て、ねじＮ３を用いて駆動部２０をレールブラケット２２に固定する。当接部４００８に駆動部２０の端壁４６Ｃを押し当てる作業は、駆動部２０の抜落が阻止された状態で行えるため簡単になされ、また、ねじＮ３を用いて駆動部２０をレールブラケット２２に固定する作業は、コンベアレール１８の長手方向から簡単になされる。駆動部２０を取り外す際には、ねじＮ３によりレールブラケット２２に対する駆動部２０の固定状態を解除する。係合溝４４から突起５４が外れるように駆動部２０を動かし、駆動部２０をレールブラケット２２から取り外す。【選択図】図１２
2018175154.tif 000002
【特許請求の範囲】
【請求項１】
遊技媒体を搬送する搬送ベルトと、
前記搬送ベルトを案内するコンベアレールと、
前記搬送ベルトを走行させる駆動部と、
を備える遊技媒体搬送装置であって、
前記コンベアレールに対して前記駆動部が係脱可能に係合することで前記駆動部の上下方向の移動を阻止する係合部と、
前記係合部により前記コンベアレールに対する前記駆動部の上下方向の移動が阻止された状態で前記コンベアレールと前記駆動部とを着脱可能に固定する固定部と、
が設けられていることを特徴とする遊技媒体搬送装置。
【請求項２】
前記係合部は、前記コンベアレールまたは前記駆動部の一方に設けられた係合溝と、前記コンベアレールまたは前記駆動部の他方に設けられ前記係合溝に係合可能な突起とを含んで構成されている、
ことを特徴とする請求項１記載の遊技媒体搬送装置。
【請求項３】
前記係合溝には、上方または下方に窪み前記突起が係合することで上下方向および前記コンベアレールの長手方向に対する前記駆動部の位置決めを行なう凹部が連設されている、
ことを特徴とする請求項２記載の遊技媒体搬送装置。
【請求項４】
前記係合溝は、前記コンベアレールまたは前記駆動部の長手方向あるいは幅方向に延在し、
前記固定部は、前記コンベアレールまたは前記駆動部の一方に設けられ前記コンベアレールまたは前記駆動部の他方に当接する当接部と、前記当接部を前記コンベアレールまたは前記駆動部の他方に取着するねじとを含んで構成され、
前記当接部が前記コンベアレールまたは前記駆動部の他方に当接する方向は、前記係合溝が延在する方向と平行する方向である、
ことを特徴とする請求項２または３記載の遊技媒体搬送装置。
【請求項５】
前記コンベアレールは、前記コンベアレールに取着されるレールブラケットを含んで構成され、
前記係合部は、前記レールブラケットに対して前記駆動部が係脱可能に係合することで前記駆動部の上下方向の移動を阻止し、
前記固定部は、前記係合部により前記レールブラケットに対する前記駆動部の上下方向の移動が阻止された状態で前記レールブラケットと前記駆動部とを着脱可能に固定する、
ことを特徴とする請求項１記載の遊技媒体搬送装置。
【請求項６】
前記コンベアレールは、前記コンベアレールに取着されるレールブラケットを含んで構成され、
前記係合溝は、前記レールブラケットまたは前記駆動部の一方に設けられ、
前記突起は、前記レールブラケットまたは前記駆動部の他方に設けられている、
ことを特徴とする請求項２〜４の何れか１項記載の遊技媒体搬送装置。
【発明の詳細な説明】
【技術分野】
【０００１】
本発明は、遊技媒体搬送装置に関する。
【背景技術】
【０００２】
遊技店には、遊技機と、遊技機に併設され遊技媒体の払い出しを行なう貸出機（以下単に貸出機という）とが並べられて構成された遊技島が設置されている。
各遊技機から排出された遊技媒体は、遊技機および貸出機の下方で遊技島の延在方向に沿って配置された回収コンベア、すなわち、遊技媒体搬送装置に排出され、遊技媒体搬送装置によって回収された遊技媒体は、例えば、遊技島の端部に設けられた洗浄装置で洗浄されたのち揚送装置で揚送され、補給コンベアを介して遊技機または貸出機に補給される。
このような遊技媒体搬送装置として、特許文献１には、遊技媒体を搬送する搬送ベルトと、搬送ベルトを案内するコンベアレールと、搬送ベルトを走行させる駆動部とを備え、駆動部をコンベアレールの下部に、コンベアレールの長手方向にスライド可能に、かつ、着脱可能に取り付けることが開示されている。
【０００３】
上記遊技媒体搬送装置は以下のように構成されている。
コンベアレールの幅方向両側の下部から一対の折曲片が屈曲して形成され、それら屈曲片に上方から係合する一対のブラケットをそれぞれ設ける。
それらブラケットの下部に、駆動部の両側の支持板の複数箇所を、固定ボルト、締め付けナット、角ナットといった複数の部材を含む固定手段によってそれぞれ取り付ける。
支持板の上部には折曲片の下部に対向する外向水平片が屈曲形成されている。
そして、固定手段は、固定ボルトを締め付けナットに対してきつく締結すると、折曲片に対して外向水平片を押圧させる方向に変位させ、締結をゆるめると、折曲片に対して外向水平片を離間させる方向に変位させる機能を有している。
したがって、固定手段をゆるく締結した状態では、折曲片と外向水平片との間に隙間が形成され、ブラケットおよび駆動部がコンベアレールの長手方向にスライド可能となる。
また、固定手段をきつく締結した状態では、折曲片に対して外向水平片が押圧され、折曲片がブラケットと外向水平片とによって挟持されることで、ブラケットおよび駆動部がコンベアレールの長手方向に移動不能に固定される。
【先行技術文献】
【特許文献】
【０００４】
【特許文献１】特開２００２−１４５４３３号公報
【発明の概要】
【発明が解決しようとする課題】
【０００５】
上記従来技術では、例えば、保守作業の際に駆動部をコンベアレールから取り外す際には、複数の固定手段、ブラケットをコンベアベルトから完全に取り外さなくてはならない。
また、駆動部をコンベアレールに取り付ける際には、ブラケットと支持板の位置を位置決めした状態で複数の固定手段を取り付けなくてはならない。
この場合、固定手段が複数の部品で構成されていることから、固定手段の取り付け、取り外しが極めて煩雑なものとなり、駆動部の保守作業の効率化を図る上で改善の余地がある。
本発明は、上記事情に鑑みてなされたものであり、その目的は、保守作業の効率化を図る上で有利な遊技媒体搬送装置を提供することにある。
【課題を解決するための手段】
【０００６】
上記目的を達成するために、請求項１記載の発明は、遊技媒体を搬送する搬送ベルトと、前記搬送ベルトを案内するコンベアレールと、前記搬送ベルトを走行させる駆動部と、を備える遊技媒体搬送装置であって、前記コンベアレールに対して前記駆動部が係脱可能に係合することで前記駆動部の上下方向の移動を阻止する係合部と、前記係合部により前記コンベアレールに対する前記駆動部の上下方向の移動が阻止された状態で前記コンベアレールと前記駆動部とを着脱可能に固定する固定部とが設けられていることを特徴とする。
請求項２記載の発明は、前記係合部は、前記コンベアレールまたは前記駆動部の一方に設けられた係合溝と、前記コンベアレールまたは前記駆動部の他方に設けられ前記係合溝に係合可能な突起とを含んで構成されていることを特徴とする。
請求項３記載の発明は、前記係合溝には、上方または下方に窪み前記突起が係合することで上下方向および前記コンベアレールの長手方向に対する前記駆動部の位置決めを行なう凹部が連設されていることを特徴とする。
請求項４記載の発明は、前記係合溝は、前記コンベアレールまたは前記駆動部の長手方向あるいは幅方向に延在し、前記固定部は、前記コンベアレールまたは前記駆動部の一方に設けられ前記コンベアレールまたは前記駆動部の他方に当接する当接部と、前記当接部を前記コンベアレールまたは前記駆動部の他方に取着するねじとを含んで構成され、前記当接部が前記コンベアレールまたは前記駆動部の他方に当接する方向は、前記係合溝が延在する方向と平行する方向であることを特徴とする。
請求項５記載の発明は、前記コンベアレールは、前記コンベアレールに取着されるレールブラケットを含んで構成され、前記係合部は、前記レールブラケットに対して前記駆動部が係脱可能に係合することで前記駆動部の上下方向の移動を阻止し、前記固定部は、前記係合部により前記レールブラケットに対する前記駆動部の上下方向の移動が阻止された状態で前記レールブラケットと前記駆動部とを着脱可能に固定することを特徴とする。
請求項６記載の発明は、前記コンベアレールは、前記コンベアレールに取着されるレールブラケットを含んで構成され、前記係合溝は、前記レールブラケットまたは前記駆動部の一方に設けられ、前記突起は、前記レールブラケットまたは前記駆動部の他方に設けられていることを特徴とする。
【発明の効果】
【０００７】
請求項１記載の発明によれば、駆動部の取り付け、取り外しに際して、係合部により駆動部の抜落が阻止された状態で、駆動部をコンベアレールに固定、解除する作業を行なえるので、駆動部の保守作業の効率を格段に高める上で有利となる。
請求項２記載の発明によれば、コンベアレールに対する駆動部の係脱を係合溝と突起という簡素な構成により実現できるので、遊技媒体搬送装置の簡素化を図る上で有利となる。
請求項３記載の発明によれば、コンベアレールに対する駆動部の位置決めを簡単に行なえ、駆動部の保守作業の効率化を図る上で有利となる。
請求項４記載の発明によれば、駆動部のコンベアレールへの取り付け、取り外しの際、係合溝に対して相対的に突起を移動させる方向と、駆動部をコンベアレールに固定、固定解除する際に駆動部を移動させる方向とが同じ方向となるため、駆動部とコンベアレールの固定、固定解除の操作を簡単に行なえ、駆動部の保守作業の効率化を図る上で有利となる。
請求項５記載の発明によれば、遊技場の状況に応じてコンベアレールの長手方向のどこにでも駆動部を配置でき、また、既存のコンベアレールにも駆動部を簡単に設置できて汎用性に優れたものとなる。
請求項６記載の発明によれば、レールブラケットに対する駆動部の係脱を係合溝と突起という簡素な構成により実現できるので、遊技媒体搬送装置の簡素化を図る上で有利となる。
【図面の簡単な説明】
【０００８】
【図１】第１の実施の形態の遊技媒体搬送装置が適用された遊技島の一部を示す正面図である。
【図２】第１の実施の形態の遊技媒体搬送装置の配置を示す遊技島の平面図である。
【図３】第１の実施の形態の遊技媒体搬送装置の構成を示す斜視図である。
【図４】レールブラケットに駆動部が取り付けられる前の状態を示す斜視図である。
【図５】レールブラケットに駆動部が取り付けられた状態を示す斜視図である。
【図６】レールブラケットに駆動部が取り付けられた状態を示す別の斜視図である。
【図７】レールブラケットの分解斜視図である。
【図８】駆動フレームへの駆動プーリの組み付けを説明する斜視図である。
【図９】駆動フレームへのモータの組み付けを説明する斜視図である。
【図１０】駆動フレームへの上下のカバーの組み付けを説明する斜視図である。
【図１１】コンベアレール、レールブラケット、駆動部を示す分解斜視図である。
【図１２】コンベアレールにレールブラケットが取り付けられた状態を示す斜視図である。
【図１３】コンベアレールにレールブラケットを介して駆動部が取り付けられた状態を示す斜視図である。
【図１４】図１３のＡ−Ａ線断面図である。
【図１５】コンベアレール、搬送ベルト、駆動ローラの構成を模式的に示す説明図である。
【図１６】第２の実施の形態の遊技媒体搬送装置の構成を示す正面図である。
【図１７】図１６のＡ矢視図である。
【図１８】第３の実施の形態の遊技媒体搬送装置の構成を示す分解斜視図である。
【発明を実施するための形態】
【０００９】
（第１の実施の形態）
以下、本発明の実施の形態について添付図面を参照して説明する。
まず、本発明が適用される遊技島の構成について説明する。
図１、図２に示すように、遊技島２は、遊技機列４と、補給コンベア１０と、遊技媒体補給装置１２と、回収コンベア１４とを含んで構成されている。
【００１０】
遊技機列４は、貸出機８が併設された遊技機６が複数並べられて構成されている。
遊技機６は、遊技者が遊技媒体を使用して遊技を行なうものである。
貸出機８は、遊技者に対して遊技媒体の払い出し（貸し出し）を行なうものである。
このように貸出機８が併設された遊技機６が、本実施の形態では、複数直線状に並べられて遊技機列４を構成しており、この遊技機列４は互いに対向するように一対設けられている。
なお、本実施の形態では、遊技媒体がメダル（コイン）であり、遊技機６がスロットマシンであり、貸出機８がメダル貸機である場合について説明するが、遊技媒体、遊技機６、貸出機８の種類は限定されるものではない。
【００１１】
補給コンベア１０は、一対の遊技機列４の間で遊技機６および貸出機８の上方にそれら遊技機列４の延在方向に沿って延在している。
補給コンベア１０は、遊技媒体補給装置１２から送り出された所定量の遊技媒体を水平方向に向けて搬送し、遊技機列４を構成する遊技機６または貸出機８に遊技媒体を搬送する。
【００１２】
遊技媒体補給装置１２は、遊技島２の島端に設けられ、回収コンベア１４で回収された遊技媒体を補給コンベア１０の上流端に所定量送り出すものである。
遊技媒体補給装置１２は、回収された遊技媒体を洗浄する洗浄装置、洗浄された遊技媒体を補給コンベア１０まで揚送する揚送装置を含んでいる。
【００１３】
次に回収コンベア１４について説明する。
本実施の形態では、回収コンベア１４が本発明の遊技媒体搬送装置を構成している。
回収コンベア１４は、一対の遊技機列４の間かつ遊技機６および貸出機８の下方でそれら遊技機列４の延在方向に沿って延在し、一対の遊技機列４からシュート９を介して排出された遊技媒体を水平方向で遊技媒体補給装置１２に向けて搬送するものである。
なお、図２では、貸出機８が遊技媒体の計数機能を備えており、各遊技機６および各貸出機８のそれぞれにシュート９が設けられている場合を示すが、貸出機８が遊技媒体の計数機能を備えないものであれば、貸出機８のシュート９は不要である。
【００１４】
図３に示すように、回収コンベア１４は、搬送ベルト１６と、コンベアレール１８と、駆動部２０と、係合部２４（図４）と、固定部２６（図４）とを含んで構成されている。
本実施の形態では、コンベアレール１８は、コンベアレール１８とは別体のレールブラケット２２を含んで構成されている。レールブラケット２２は省略可能であり、この場合には、コンベアレール１８に後述する係合溝４４やねじ挿通孔４００８Ａを設ければ良い。
図１１、図１４に示すように、搬送ベルト１６は、遊技媒体を搬送するものである。
搬送ベルト１６は、遊技媒体が載置される搬送面１６０２と、搬送面１６０２の反対側に位置する裏面１６０４とを備えている。
【００１５】
搬送ベルト１６は、一対のエンドローラ２８（図３）に架け渡され、遊技機列４（図２）の全長にわたって延在している。
コンベアレール１８は、遊技機列４の全長にわたって延在しており、図１４に示すように、コンベアレール１８は、レールフレーム３０と、レールフレーム３０の両側に取着されるガイド板３２とを有している。
レールフレーム３０の延在方向の両端に一対のエンドローラ２８（図３）が支持されている。
レールフレーム３０は、下部フレーム３４と、上部フレーム３６とを含んで構成されている。
【００１６】
下部フレーム３４は、搬送ベルト１６の幅方向に対向しつつ搬送ベルト１６の搬送方向に沿って延在する一対のフレーム下部側板部３４０２と、一対のフレーム下部側板部３４０２の上端を接続するフレーム中間上板部３４０４とを備えている。
上部フレーム３６は、フレーム中間上板部３４０４の幅方向両側から立設され搬送ベルト１６の幅方向に対向しつつ搬送ベルト１６の搬送方向に沿って延在する一対のフレーム上部側板部３６０２と、一対のフレーム上部側板部３６０２の上端を接続するフレーム上板部３６０４とを備えている。
また、一対のフレーム下部側板部３４０２の上端から一対のフレーム上部側板部３６０２に対向させて係止壁３４０６が立設されている。
【００１７】
ガイド板３２は、一対のフレーム上部側板部３６０２とこのフレーム上部側板部３６０２に対向する係止壁３４０６との間に挿入され配置されており、ガイド板３２は、搬送ベルト１６の幅方向両側に位置し、搬送ベルト１６からの遊技媒体の抜落を阻止し搬送ベルト１６による遊技媒体の搬送が円滑に行なわれるように図られている。
上部フレーム３６のフレーム上板部３６０４の上面は、搬送ベルト１６の裏面１６０４が案内されるガイド面３４０４Ａを構成し、ガイド面３４０４Ａに沿って搬送ベルト１６が走行するように図られている。ガイド面３４０４Ａの幅方向の中央には、コンベアレール１８を連結する際に連結駒を挿入する凹部３４０８が形成されている。
【００１８】
なお、搬送ベルト１６は、排出された遊技媒体を水平方向で遊技媒体補給装置１２に向けて搬送する往路と、往路の下流端で走行方向を１８０度変換し往路の下方を通り往路の上流端に戻る復路とを有し、ガイド面３４０４Ａは搬送ベルト１６の往路のガイド面を構成している。
復路には、搬送ベルト１６の張力を調整するテンション機構（不図示）が設けられている。
【００１９】
図７、図１４に示すように、レールブラケット２２は、ブラケットフレーム４０と、２つの方向変換用ローラ４２とを含んで構成されている。
ブラケットフレーム４０は、コンベアレール１８の幅方向に延在する幅と、コンベアレール１８の長さ方向に延在する長さとを有している。
ブラケットフレーム４０は、幅方向において互いに対向する一対のブラケット下部側板部４００２と、それらブラケット下部側板部４００２の上端から上方に突出し互いに対向する一対のブラケット上部側板部４００４と、一対のブラケット下部側板部４００２の下端間を接続するブラケット底板部４００６と、ブラケット底板部４００６の長手方向の端部から下方に屈曲された当接部４００８とを有している。
図１１〜図１４に示すように、一対のブラケット上部側板部４００４は、下部フレーム３４のフレーム下部側板部３４０２の外面に合わされ、ねじＮ１によりフレーム下部側板部３４０２に着脱可能に取着される。
図１１において、符号４００４ＡはねじＮ１（図７、図１２）が挿通されるブラケット上部側板部４００４のねじ挿通孔、符号３４０２ＡはねじＮ１（図１２）が螺合されるフレーム下部側板部３４０２のねじ孔を示す。
【００２０】
また、図７、図１１に示すように、ブラケット下部側板部４００２の長手方向に間隔をおいた２箇所で互いに対向する箇所に一対の係合溝４４が設けられている。すなわち、係合溝４４は、レールブラケット２２の長手方向に間隔をおいた２箇所でそれぞれレールブラケット２２の幅方向の両側の箇所に設けられている。
それら２組の一対の係合溝４４は、下方に開放された挿入溝４４０２と、挿入溝４４０２の上端に接続されブラケットフレーム４０の長手方向に延在する上下方向移動阻止溝４４０４とを含んで構成されている。なお、レールブラケット２２がコンベアレール１８に取着された状態で、挿入溝４４０２は上下方向に延在し、上下方向移動阻止溝４４０４は水平方向に延在する。
また、ブラケット底板部４００６の長手方向の半部寄りの箇所に、搬送ベルト１６を通過させる切り欠き４０１０が設けられている。
図７に示すように、２つの方向変換用ローラ４２は、切り欠き４０１０の上方に配置され、ねじＮ２によりブラケット下部側板部４００２に回転可能に取着されている。
また、当接部４００８にねじ挿通孔４００８Ａが形成され、ねじ挿通孔４００８Ａの軸心は上下方向移動阻止溝４４０４の延在方向と平行する方向である。
【００２１】
図８〜図１０に示すように、駆動部２０は、搬送ベルト１６を走行させるものである。
駆動部２０は、駆動フレーム４６と、モータ４８と、駆動ローラ５０とを含んで構成されている。
駆動フレーム４６は、コンベアレール１８の幅方向に延在する幅と、コンベアレール１８の長さ方向に延在する長さとを有している。
モータ４８は、駆動フレーム４６の長手方向の一方の半部に収容されて配置されている。
駆動ローラ５０は、駆動フレーム４６の長手方向の他方の半部に収容されて配置されている。
図８に示すように、駆動ローラ５０はその両側部が、取り付け板５００２、ベアリングユニット５００４を介して駆動フレーム４６に対して着脱可能に取着されている。
【００２２】
図１０に示すように、モータ４８と駆動ローラ５０とは、ベルトプーリ機構５２を介して連結されている。
駆動フレーム４６の長手方向の一方の半部の上壁４６Ａと、他方の半部の一対の側壁４６Ｂ上には、幅方向において互いに対向する一対の駆動フレーム側板部４６０２がそれぞれ突設されている。
それら２組の一対の駆動フレーム側板部４６０２には、ブラケット下部側板部４００２の係合溝４４に係合可能なピン状の突起５４が突設されている。すなわち、突起５４は、駆動フレーム４６の長手方向に間隔をおいた２箇所でそれぞれ駆動フレーム４６の幅方向の両側の箇所に設けられている。
図４〜図６に示すように、２組の一対のブラケット下部側板部４００２の外面に２組の一対の駆動フレーム側板部４６０２の内面を合わせつつ突起５４を挿入溝４４０２に挿入し、挿入溝４４０２から上下方向移動阻止溝４４０４に突起５４を移動させると、駆動部２０はレールブラケット２２に対して上下方向の移動が阻止された状態となり、本実施の形態では、駆動部２０はレールブラケット２２に対して抜落が阻止された状態となる。
したがって、係合溝４４と突起５４とによって、レールブラケット２２に対して駆動部２０が係脱可能に係合することで駆動部２０の上下方向の移動を阻止する係合部２４が構成されている。
また、係合部２４は、本実施の形態では、レールブラケット２２の幅方向における駆動部２０の位置決めを行なう機能も奏している。
すなわち、本実施の形態では、レールブラケット２２と駆動部２０は、コンベアレール１８の幅方向に延在する幅とコンベアレール１８の長さ方向に延在する長さとを有し、係合溝４４と突起５４の一方は、レールブラケット２２の長手方向に間隔をおいた２箇所でそれぞれレールブラケット２２の幅方向の両側の箇所に設けられ、係合溝４４と突起５４の他方は、駆動部２０の長手方向に間隔をおいた２箇所でそれぞれ駆動部２０の幅方向の両側の箇所に設けられているということができる。
この場合、レールブラケット２２と駆動部２０の幅方向と長さ方向に間隔をおいた４箇所で係合溝４４と突起５４とが係合するので、駆動部２０とレールブラケット２２とが係合すると駆動部２０が安定した状態でレールブラケット２２に支持され、駆動部２０をレールブラケット２２に固定、解除する作業の効率を高め、駆動部２０の保守作業の効率を格段に高める上で有利となる。
【００２３】
図４に示すように、モータ４８が収容された側の駆動フレーム４６の端壁４６Ｃに、当接部４００８のねじ挿通孔４００８Ａに合致するねじ孔４６０４が形成され、ねじ孔４６０４の軸心は上下方向移動阻止溝４４０４の延在方向と平行する方向である。
駆動部２０を移動させて端壁４６Ｃを当接部４００８に合わせ、ねじ挿通孔４００８Ａに挿通したねじＮ３（図５）をねじ孔４６０４に螺合させることで、駆動部２０がレールブラケット２２に固定される。
したがって、当接部４００８とねじＮ３によって、係合部２４によりレールブラケット２２に対する駆動部２０の上下方向の移動が阻止された状態でレールブラケット２２と駆動部２０とを着脱可能に固定する固定部２６が構成され、当接部４００８が端壁４６Ｃに当接する方向およびねじ挿通孔４００８Ａ、ねじ孔４６０４、ねじＮ３の軸心方向は、係合溝４４が延在する方向と平行する方向である。
したがって、固定部２６は、駆動部２０をレールブラケット２２に固定する機能と、レールブラケット２２の長手方向における駆動部２０を位置決めする機能とを奏している。
また、本実施の形態では、レールブラケット２２がコンベアレール１８に取着された状態で、レールブラケット２２は、コンベアレール１８の下方に配置され、駆動部２０がレールブラケット２２に固定された状態で、駆動部２０はレールブラケット２２の下方に配置されるということができる。
この場合、レールブラケット２２および駆動部２０をデッドスペースであるコンベアレール１８の下方に配置できるので、回収コンベア１４（遊技媒体搬送装置）の省スペース化を図る上で有利となる。
なお、図１０において符号４７Ａ、４７Ｂは、それぞれ駆動フレーム４６の幅方向の一側に着脱可能に取着される上カバー、下カバーを示し、これら上カバー４７Ａ、下カバー４７Ｂによってベルトプーリ機構５２が覆われている。
【００２４】
次に、本発明の駆動部２０をコンベアレール１８に取り付ける手順について説明する。
まず、図１１、図１２、図１４に示すように、レールブラケット２２の一対のブラケット上部側板部４００４を、下部フレーム３４のフレーム下部側板部３４０２の外面に合わせ、ねじＮ１によりフレーム下部側板部３４０２に着脱可能に取着する。
このレールブラケット２２をコンベアレール１８に取り付ける作業は、４本のねじＮ１を用いて行なう作業であるため簡単になされる。
このレールブラケット２２のコンベアレール１８への取り付け作業は、コンベアレール１８の幅方向両側から行なう必要があるものの、レールブラケット２２をいったん取り付けると、駆動部２０の保守点検の際、その都度レールブラケット２２をコンベアレール１８から取り外す必要はなく、取り付けられたのちは取り付けられた状態のままとなる。
そして、搬送ベルト１６の部分を２つの方向変換ローラ４２の間から下方に引き出す。
【００２５】
次に、図８、図１５に示すように、引き出された搬送ベルト１６の部分の上に駆動ローラ５０を位置させて、駆動ローラ５０を、取り付け板５００２、ベアリングユニット５００４を介して駆動フレーム４６に着脱可能に取着する。
そして、図４、図５、図６、図１３に示すように、駆動部２０を上方に持ち上げ、２組の一対のブラケット下部側板部４００２の外面に２組の一対の駆動フレーム側板部４６０２の内面を合わせつつ突起５４を挿入溝４４０２に挿入し、挿入溝４４０２から上下方向移動阻止溝４４０４に突起５４を移動させる。
この状態で、駆動部２０はレールブラケット２２に対して上下方向の移動が阻止された状態となり、言い換えると、抜落が阻止された状態となる。
この場合、駆動部２０をレールブラケット２２に係合する作業は、突起５４を係合溝４４に係合させることでなされるため簡単になされる。
また、突起５４と係合溝４４とは、レールブラケット２２と駆動フレーム４６の長手方向に間隔をおいた２箇所で幅方向の両側の箇所である４箇所で係合するため、駆動部２０をレールブラケット２２に係合させると、駆動部２０はレールブラケット２２により安定した状態で支持される。
【００２６】
次に、図５、図１３に示すように、突起５４が挿入溝４４０２から離れる方向で上下方向移動阻止溝４４０４の延在方向に駆動部２０を移動させ、当接部４００８に駆動フレーム４６の端壁４６Ｃを当接させ、ねじ挿通孔４００８Ａに挿通したねじＮ３をねじ孔４６０４に螺合し、駆動部２０をレールブラケット２２に着脱可能に固定する。
この場合、駆動部２０を移動させる作業は、４箇所で突起５４と係合溝４４とが係合しており、レールブラケット２２からの抜落が阻止された状態で駆動部２０が安定して支持されているため、簡単になされる。
駆動部２０をレールブラケット２２から取り外す作業は、前記と逆の手順で行われる。
したがって、本実施の形態によれば、駆動部２０の取り付け、取り外しに際して、コンベアレール１８に対して駆動部２０を係脱する作業、および、駆動部２０をレールブラケット２２に対して固定、固定解除する作業が簡単になされるため、保守作業の効率を格段に高める上で有利となる。
【００２７】
（第２の実施の形態）
次に図１６、図１７を参照して第２の実施の形態について説明する。
第２の実施の形態は、第１の実施の形態の変形例であり、以後の実施の形態の説明では第１の実施の形態と同様の箇所、部材に同一の符号を付してその説明を省略し、異なった点について重点的に説明する。
第２の実施の形態では、突起５６をレールブラケット２２に設け、係合溝５８を駆動部２０に設けた点、凹部５８０６を設けた点が第１の実施の形態と異なっている。
第２の実施の形態では、レールブラケット２２のブラケット下部側板部４００２の長手方向に間隔をおいた２箇所で互いに対向する箇所にピン状の突起５６が設けられている。
それらピン状の突起５６は、互いに向かい合う方向ではなく、レールブラケット２２の幅方向において同一の方向に突設されている。
また、駆動フレーム４６の２組の一対の駆動フレーム側板部４６０２には、ブラケット下部側板部４００２の突起５６に係合可能な係合溝５８が設けられている。
したがって、係合溝５８と突起５６とによって係合部２４が構成されている。
【００２８】
２組の一対の係合溝５８は、上方に開放された挿入溝５８０２と、挿入溝５８０２の下端に接続され水平方向に延在する上下方向移動阻止溝５８０４とを含んで構成されている。
挿入溝５８０２と反対に位置する上下方向移動阻止溝５８０４の端部には、突起５６が係合することで、上下方向およびレールブラケット２２の長手方向に対する駆動部２０の位置決めを行なう上方に窪んだ凹部５８０６が設けられている。
突起５６が凹部５８０６に係合した状態で、上下方向およびレールブラケット２２の長手方向に対する駆動部２０の位置決めが行われ、レールブラケット２２に対する駆動部２０の取り付け作業の簡単化が図られている。
なお、突起５６をレールブラケット２２側に設け、係合溝５８を駆動部２０側に設ける場合には、凹部５８０６は下方に窪んだ形状で形成される。
また、レールブラケット２２の幅方向の外側に突起５６が突出する２つの駆動フレーム側板部４６０２のうちの１つの駆動フレーム側板部４６０２にねじ挿通孔４６１０が形成され、突起５６が凹部５８０６に係合した状態で、ねじ挿通孔４６１０に合致するブラケット下部側板部４００２の箇所にねじ孔４０１０が形成されている。
【００２９】
したがって、突起５６が凹部５８０６に係合した状態で、ねじ挿通孔４６１０に挿通したねじＮ３をねじ孔４０１０に螺合することで、レールブラケット２２に対する駆動部２０の固定がなされ、駆動フレーム側板部４６０２、ねじ挿通孔４６１０、ねじ孔４０１０、ねじＮ３により固定部２６が構成される。
なお、この第２の実施の形態では、第１の実施の形態の当接部４００８が省略されている。
駆動部２０をレールブラケット２２に組み付けるに際しては、一対の駆動フレーム側板部４６０２の一方をブラケット下部側板部４００２の内面に合わせると共に、一対の駆動フレーム側板部４６０２の他方をブラケット下部側板部４００２の外面に合わせ、突起５６と係合溝５８とを係合させ、ねじ挿通孔４６１０に挿通したねじＮ３をねじ孔４０１０に螺合し、駆動部２０をレールブラケット２２に固定する作業がなされる。
このような第２の実施の形態によっても第１の実施の形態と同様な効果が奏される。
【００３０】
（第３の実施の形態）
次に第３の実施の形態について図１８を参照して説明する。
第１の実施の形態では、レールブラケット２２に対して駆動部２０を係脱する方向がレールブラケット２２の長手方向であるに対して、第３の実施の形態では、レールブラケット２２の幅方向となっている。
すなわち、レールブラケット２２は一対のブラケット側板部６０と、各ブラケット側板部６０に設けられた一対の断面Ｌ字状の係合ブラケット６２とを有している。
【００３１】
一対のブラケット側板部６０は、レールブラケット２２の幅方向に対向しつつレールブラケット２２の長手方向に延在し、コンベアレール１８のフレーム下部側板部３４０２にねじＮ１により取着される。
一対の係合ブラケット６２は、ブラケット側板部６０の長手方向の両端から垂設されレールブラケット２２の幅方向に延在する側壁６２０２と、側壁６２０２の下端から屈曲され互いに近づく方向に延在する底壁６２０４とを有している。
この第３の実施の形態では、一対の側壁６２０２と、それら側壁６２０２に設けられた底壁６２０４とにより単一の係合溝６４が形成されている。
また、駆動フレーム４６の上壁４６Ａの長手方向の両側でかつ幅方向の両側には係合溝６４に係脱可能な２組の一対の板状の突起６６が設けられている。
したがって、係合溝６４と突起６６とによって係合部２４が構成されている。
係合部２４は、駆動部２０の上下方向の移動を阻止する機能と、レールブラケット２２の長手方向における駆動部２０の位置決めを行なう機能も奏している。
また、駆動部２０の幅方向の端部に位置する側壁４６Ｂの上端に、レールブラケット２２のブラケット側板部６０に当接可能な当接部６８が突設されている。
【００３２】
第３の実施の形態では、２組の一対の突起６６のうちの一方の一対の突起６６を係合溝６４に係合させた状態で駆動部２０をレールブラケット２２の幅方向に押し込んでいくと、他方の一対の突起６６も係合溝６４に係合する。
さらに駆動部２０を押し込んでいくと、当接部６８がブラケット側板部６０に当接し、当接部６８のねじ挿通孔６８０２に挿通したねじＮ３をブラケット側板部６０のねじ孔６００２に螺合し、当接部６８をブラケット側板部６０に固定する。
したがって、当接部６８、ねじ挿通孔６８０２、ねじ孔６００２、ねじＮ３によって固定部２６が構成されている。
したがって、固定部２６は、駆動部２０をレールブラケット２２に固定する機能と、レールブラケット２２の幅方向における駆動部２０を位置決めする機能とを奏している。
このような第３の実施の形態によっても第１の実施の形態と同様な効果が奏される他、次の効果も奏される。
レールブラケット２２に対して駆動部２０を挿脱する方向と、レールブラケット２２に対して駆動部２０を固定する際にねじＮ３を取り付ける方向とが、共にレールブラケット２２の幅方向となるので、駆動部２０の挿脱がより簡単になされ、駆動部２０の保守作業の効率を高める上でより有利となる。
【００３３】
なお、本実施の形態では、駆動部２０がコンベアレール１８の下方に配置される場合について説明したが、例えば、コンベアレール１８の走行方向の上流端や下流端において駆動部２０をコンベアレール１８の上方に配置する場合にも本発明は適用可能である。
また、本実施の形態では、２本の方向変換用ローラ４２をレールブラケット２２に設けた場合について説明したが、２本の方向変換用ローラ４２は駆動部２０に設けても良い。
また、本実施の形態では、レールブラケット２２をコンベアレール１８のフレーム下部側板部３４０２に取着した場合について説明したが、レールブラケット２２がコンベアレール１８に取り付けられる箇所はフレーム中間上板部３４０４などでもよく任意である。
また、本実施の形態では、本発明の遊技媒体搬送装置が回収コンベア１４を構成する場合について説明したが、本発明の遊技媒体搬送装置は補給コンベア１０を構成してもよいことは無論である。
【００３４】
また、本実施の形態では、レールブラケット２２をコンベアレール１８のフレーム下部側板部３４０２に取着した場合について説明したが、レールブラケット２２を省略し、コンベアレール１８に駆動部２０を係脱可能に係合する係合部２４（係合溝４４、５８、６４、突起５４、５６、６６等）及び固定部２６（ねじ挿通孔４００８Ａ、４６１０、６８０２、ねじ孔４６０４、４０１０、６００２等）を形成することもできる。
ただし、実施の形態のようにレールブラケット２２を設けると、遊技場の状況に応じてコンベアレール１８の長手方向のどこにでも駆動部２０を配置でき、また、既存のコンベアレール１８にも駆動部２２を簡単に設置できて汎用性に優れたものとなる。
【符号の説明】
【００３５】
１４  回収コンベア（遊技媒体搬送装置）
１６  搬送ベルト
１８  コンベアレール
２０  駆動部
２２  レールブラケット
２４  係合部
２６  固定部
４００８  当接部
４００８Ａ  ねじ挿通孔
４０１０  ねじ孔
４４  係合溝
４４０２  挿入溝
４４０４  上下方向移動阻止溝
４６  駆動フレーム
４６０４  ねじ孔
４６１０  ねじ挿通孔
５４  突起
５６  突起
５８  係合溝
５８０２  挿入溝
５８０４  上下方向移動阻止溝
５８０６  凹部
６００２  ねじ孔
６４  係合溝
６６  突起
６８  当接部
６８０２  ねじ挿通孔
Ｎ３  ねじ
【図１】
2018175154.tif 000003
【図２】
2018175154.tif 000004
【図３】
2018175154.tif 000005
【図４】
2018175154.tif 000006
【図５】
2018175154.tif 000007
【図６】
2018175154.tif 000008
【図７】
2018175154.tif 000009
【図８】
2018175154.tif 000010
【図９】
2018175154.tif 000011
【図１０】
2018175154.tif 000012
【図１１】
2018175154.tif 000013
【図１２】
2018175154.tif 000014
【図１３】
2018175154.tif 000015
【図１４】
2018175154.tif 000016
【図１５】
2018175154.tif 000017
【図１６】
2018175154.tif 000018
【図１７】
2018175154.tif 000019
【図１８】
2018175154.tif 000020